(57)【要約】【課題】本発明は、溶接固着に向かない折板を用いながらも、負圧耐力を向上させた折板屋根構造及びその施工方法を提供することを目的とする。【解決手段】本発明の目的は、メッキ鋼板で形成された長尺な屋根板たる折板３と隣接折板４が並んだ折板屋根構造において、折板３と隣接折板４の連結部同士の連結であって、両連結部同士が直に接触する箇所において、局所的な溶接部５Ａが形成されている箇所を有してなることを特徴とする折板屋根構造としたことによって達成される。【選択図】図１
2017206889.tif 000002
【特許請求の範囲】
【請求項１】
メッキ鋼板で形成された長尺な屋根板たる折板が並んだ折板屋根構造において、隣接する２つの折板の連結部同士の連結であって、前記両連結部同士が直に接触する箇所において、局所的な溶接部が形成されている箇所を有してなることを特徴とする折板屋根構造。
【請求項２】
請求項１に記載の折板屋根構造において、長尺な折板を緊締止具で隣接する折板同士を連結する折板屋根構造、又は、長尺な折板を緊締止具で緊締受け躯体に固定する折板屋根構造であって、前記長尺方向を長手方向と称することとし、該長手方向に直交する方向を幅方向と称することとしたときに、前記折板には主板の幅方向の一端に長尺である第１連結部が設けられ、他の一端には長尺である第２連結部が設けられ、前記折板の第１連結部と、前記折板に隣接する折板の第２連結部が連結した配置であって、前記緊締止具は前記緊締受け躯体に固定されたフック基部と、前記第１連結部と前記第２連結部を折り込んで若しくは引っ掛けて保持するフック機能部を有し、前記第１連結部は、前記フック機能部を巻き込んで又は前記フック機能部に折り込まれて若しくは引っ掛かって保持されて、更に、前記第２連結部は、前記フック機能部を巻き込んで又は前記フック機能部に折り込まれて若しくは引っ掛かって保持されてなり、前記第１連結部と前記第２連結部が、前記フック機能部を挟持する構成にして、前記フック機能部を介さずに前記第１連結部と前記第２連結部が接する部分において、前記第１連結部と前記第２連結部の間に局所的な溶接部が形成されている箇所を有することを特徴とする折板屋根構造。
【請求項３】
請求項２に記載の折板屋根構造において、前記フック基部は前記緊締受け躯体に固定され、前記フック機能部は前記緊締受け躯体から上方に延びるフック首部と、該フック首部に延設されたフック中央部及びフック先端部を有し、前記第１連結部には外側から前記主板に向かってそれぞれ長尺である第１連結先端部と、第１連結中央部及び第１連結首部が設けられ、前記第２連結部には外側から前記主板に向かってそれぞれ長尺である第２連結先端部と、第２連結中央部及び第２連結首部が設けられてなり、前記フック中央部及び前記フック先端部が前記第１連結先端部と、前記第１連結中央部を折り込んで保持した状態で、前記第２連結先端部と前記第２連結中央部が、前記フック中央部及び前記フック先端部を巻き込んで保持する状態であって、前記第１連結首部と前記第２連結首部が、前記フック首部を挟持する構成にして、前記フック機能部を介さずに前記第１連結部と前記第２連結部が接する部分において、前記第１連結部と前記第２連結部の間に局所的な溶接部が形成されている箇所を有することを特徴とする折板屋根構造。
【請求項４】
請求項３に記載の折板屋根構造において、前記第１連結首部と前記第２連結首部の間に局所的な溶接部が形成されている箇所を有することを特徴とする折板屋根構造。
【請求項５】
請求項３に記載の折板屋根構造において、前記第１連結中央部と前記第２連結中央部の間に局所的な溶接部が形成されている箇所を有することを特徴とする折板屋根構造。
【請求項６】
請求項２に記載の折板屋根構造において、前記フック機能部は前記緊締受け躯体から上方に延びるフック首部と、該フック首部から前記折板に向かって延設された第１フック中央部及び第１フック先端部と、前記フック首部から前記隣接折板に向かって延設された第２フック中央部及び第２フック先端部を有し、前記第１連結部には外側から前記主板に向かってそれぞれ長尺である第１連結先端部と、第１連結中央部及び第１連結首部が設けられ、前記第２連結部には外側から前記主板に向かってそれぞれ長尺である第２連結先端部と、第２連結中央部及び第２連結首部が設けられてなり、前記第１フック先端部と前記第１フック中央部はそれぞれ、前記第１連結先端部と前記第１連結中央部を折り込んで保持し、前記第２フック先端部と前記第２フック中央部はそれぞれ、前記第２連結先端部と前記第２連結中央部を折り込んで保持してなり、前記第１連結首部と前記第２連結首部が、前記フック首部を挟持する構成にして、前記フック機能部を介さずに前記第１連結部と前記第２連結部が接する部分において、前記第１連結部と前記第２連結の間に局所的な溶接部が形成されている箇所を有することを特徴とする折板屋根構造。
【請求項７】
請求項６に記載の折板屋根構造において、前記第１連結首部と前記第２連結首部の間に局所的な溶接部が設けられた箇所を有することを特徴とする折板屋根構造。
【請求項８】
請求項６に記載の折板屋根構造において、前記第１連結部と前記第２連結部が、前記フック機能部を介さずに接するか若しくは近接する部分において、前記第１連結中央部と前記第２連結中央部の間に当て板を渡した状態で、該当て板と前記第１連結中央部が接する部分の間に局所的な溶接部が形成されており、該当て板と前記第２連結中央部が接する部分の間に局所的な溶接部が形成されていることを特徴とする折板屋根構造。
【請求項９】
請求項６に記載の折板屋根構造において、前記第１連結部と前記第２連結部及び前記フック機能部はキャップ材で覆われてなり、前記フック機能部を介さずに、前記第１連結部と前記第２連結部が接し、若しくは近接する所において、前記キャップ材と前記第１連結部の間に局所的な溶接部が形成されており、前記キャップ材と前記第２連結部の間に局所的な溶接部が形成されている箇所を有することを特徴とする折板屋根構造。
【請求項１０】
請求項２、請求項３、請求項４、請求項５、請求項６、請求項７、請求項８又は請求項９のいずれかに記載の折板屋根構造において、前記溶接部は、前記第１連結部若しくは前記第２連結部が前記緊締止具に接している部分から、前記折板の長手方向に２０ｍｍ以上離れていることを特徴とする折板屋根構造。
【請求項１１】
メッキ鋼板で形成された長尺な屋根板たる折板が並んだ折板屋根構造において、隣接する２つの折板屋根板の連結部同士の溶接であって、前記両連結部同士が直に接触する箇所において局所的に溶接することを特徴とする折板屋根構造の施工方法。
【請求項１２】
請求項１１に記載の折板屋根構造の施工方法において、長尺な折板を、緊締止具で緊締受け躯体に固定する折板屋根構造の施工方法であって、前記長尺方向を長手方向と称することとし、該長手方向に直交する方向を幅方向と称することとしたときに、前記折板には主板の幅方向の一端に長尺である第１連結部を設けて、他の一端には長尺である第２連結部を設け、前記折板の第１連結部と、前記折板に隣接する折板の第２連結部が連結するように配置し、前記緊締止具を前記緊締受け躯体に固定されたフック基部と、前記第１連結部と前記第２連結部を折り込んで保持するフック機能部で構成し、前記第１連結部は、前記フック機能部を巻き込んで若しくは前記フック機能部に折り込まれて保持されるようにし、更に、前記第２連結部は、前記フック機能部を巻き込んで若しくは前記フック機能部に折り込まれて保持されるようにし、前記第１連結部と前記第２連結部に、前記フック機能部を挟持させたうえで、前記フック機能部を介さずに前記第１連結部と前記第２連結部が接する箇所若しくは近接する箇所において、前記第１連結部と前記第２連結部の間を局所的に溶接することを特徴とする折板屋根構造の施工方法。
【請求項１３】
請求項１２に記載の折板屋根構造の施工方法において、前記フック基部を前記緊締受け躯体に固定し、前記フック機能部は前記緊締受け躯体から上方に延びるフック首部と、該フック首部に延設されたフック中央部及びフック先端部を形成し、前記第１連結部には外側から前記主板に向かってそれぞれ長尺である第１連結先端部と、第１連結中央部及び第１連結首部を設け、前記第２連結部には外側から前記主板に向かってそれぞれ長尺である第２連結先端部と、第２連結中央部及び第２連結首部が設けたうえで、前記フック中央部及び前記フック先端部に前記第１連結先端部と、前記第１連結中央部を折り込んで保持させ、前記第２連結先端部と、前記第２連結中央部で前記フック中央部及び前記フック先端部を巻き込んで、前記第１連結首部と前記第２連結首部が、前記フック首部を挟持するように締め付けたうえで、前記フック機能部を介さずに前記第１連結首部と前記第２連結首部が接するか若しくは近接する箇所において、前記第１連結首部と前記第２連結首部の間を局所的に溶接することを特徴とする折板屋根構造の施工方法。
【請求項１４】
請求項１２に記載の折板屋根構造の施工方法において、前記フック基部を前記緊締受け躯体に固定し、前記フック機能部は前記緊締受け躯体から上方に延びるフック首部と、該フック首部に延設されたフック中央部及びフック先端部を形成し、前記第１連結部には外側から前記主板に向かってそれぞれ長尺である第１連結先端部と、第１連結中央部及び第１連結首部を設け、前記第２連結部には外側から前記主板に向かってそれぞれ長尺である第２連結先端部と、第２連結中央部及び第２連結首部を設けたうえで、前記フック中央部及び前記フック先端部に前記第１連結先端部と、前記第１連結中央部を折り込んで保持させ、前記第２連結先端部と、前記第２連結中央部で前記フック中央部及び前記フック先端部を巻き込んで、前記第１連結首部と前記第２連結首部が、前記フック首部を挟持するように締め付けるに際して、前記第２連結先端部で前記フック先端部を巻き込む前に、前記フック機能部を介さずに前記第１連結中央部と前記第２連結中央部が接する箇所において、前記第１連結中央部と前記第２連結中央部の間を局所的に溶接することを特徴とする折板屋根構造の施工方法。
【請求項１５】
請求項１２に記載の折板屋根構造の施工方法において、前記フック機能部は前記緊締受け躯体から上方に延びるフック首部と、該フック首部から前記折板の側に延設された第１フック中央部及び第１フック先端部と、該フック首部から前記隣接折板の側に延設された第２フック中央部及び第２フック先端部を形成し、前記第１連結部には外側から前記主板に向かってそれぞれ長尺である第１連結先端部と、第１連結中央部及び第１連結首部を設け、前記第２連結部には外側から前記主板に向かってそれぞれ長尺である第２連結先端部と、第２連結中央部及び第２連結首部を設け、前記第１フック先端部と前記第１フック中央部に、それぞれ前記第１連結先端部と前記第１連結中央部を折り込んで保持させ、前記第２フック先端部と前記第２フック中央部に、それぞれ前記第２連結先端部と前記第２連結中央部を折り込んで保持させ、前記第１連結首部と前記第２連結首部が、前記フック首部を挟持するように締め込んだうえで、前記フック機能部を介さずに前記第１連結首部と前記第２連結首部が接する箇所において、前記第１連結部と前記第２連結部の間を局所的に溶接することを特徴とする折板屋根構造の施工方法。
【請求項１６】
請求項１２に記載の折板屋根構造の施工方法において、前記フック機能部には前記緊締受け躯体から上方に延びるフック首部と、該フック首部から前記第１の折板の側に延設された第１フック中央部及び第１フック先端部と、該フック首部から前記隣接折板の側に延設された第２フック中央部及び第２フック先端部を形成し、前記第１連結部には外側から前記主板に向かってそれぞれ長尺である第１連結先端部と、第１連結中央部及び第１連結首部を設け、前記第２連結部には外側から前記主板に向かってそれぞれ長尺である第２連結先端部と、第２連結中央部及び第２連結首部を設け、前記第１フック先端部と前記第１フック中央部には、それぞれ前記第１連結先端部と前記第１連結中央部を折り込んで保持させ、前記第２フック先端部と前記第２フック中央部には、それぞれ前記第２連結先端部と前記第２連結中央部を折り込んで保持し、前記第１連結首部と前記第２連結首部が、前記フック首部を挟持するように締め込んだうえで、前記フック機能部を介さずに前記第１連結部と前記第２連結部が接するか若しくは近接する所に、前記第１連結部と前記第２連結部の間に当て板を渡し、該当て板と前記第１連結中央部の間を局所的に溶接し、該当て板と前記第２連結中央部の間を局所的に溶接することを特徴とする折板屋根構造の施工方法。
【請求項１７】
請求項１２に記載の折板屋根構造の施工方法において、前記フック機能部には前記緊締受け躯体から上方に延びるフック首部と、該フック首部から前記第１の折板の側に延設された第１フック中央部及び第１フック先端部と、該フック首部から前記隣接折板の側に延設された第２フック中央部及び第２フック先端部を形成し、前記第１連結部には外側から前記主板に向かってそれぞれ長尺である第１連結先端部と、第１連結中央部及び第１連結首部を設け、前記第２連結部には外側から前記主板に向かってそれぞれ長尺である第２連結先端部と、第２連結中央部及び第２連結首部を設け、前記第１フック先端部と前記第１フック中央部には、それぞれ前記第１連結先端部と前記第１連結中央部を折り込んで保持させ、前記第２フック先端部と前記第２フック中央部には、それぞれ前記第２連結先端部と前記第２連結中央部を折り込んで保持し、前記第１連結首部と前記第２連結首部が、前記フック首部を挟持するように締め込んだうえで、前記第１連結部と前記第２連結部及び前記フック機能部をキャップ材で覆い、前記フック機能部を介さずに前記第１連結部と前記第２連結部が接するか若しくは近接する所において、前記キャップ材と前記第１連結部の間を局所的に溶接し、前記キャップ材と前記第２連結部の間を局所的に溶接することを特徴とする折板屋根構造の施工方法。
【請求項１８】
請求項１２、請求項１３、請求項１４、請求項１５、請求項１６又は請求項１７のいずれかに記載の折板屋根構造において、前記第１連結部若しくは前記第２連結部が前記緊締止具に接している部分から、前記折板の長手方向に２０ｍｍ以上離れている箇所に溶接することを特徴とする折板屋根構造の施工方法。
【発明の詳細な説明】
【技術分野】
【０００１】
本発明は、折板屋根構造及びその施工方法に関する。
【背景技術】
【０００２】
近年、耐久性と外観の美しさを備えた金属屋根が普及している。特許文献１には、ステンレス材などの非メッキ長尺鋼板の立ち上がり部同士をシーム溶接で連結させた屋根構造が記載されている。この屋根構造はステンレス鋼板を用いるがゆえに水密性と耐久性に優れる。一方で、ステンレスを用いるゆえに高価である。そのため、このような屋根構造は博物館、展示場や空港等の恒久的に使用される公共施設に用いられることが多い。このような屋根構造の課題は、広く普及させるには高コストであることである。
【０００３】
また、特許文献２には、メッキ鋼板である折板で構成された折板屋根構造が記載されており、上記課題を解決することができる。一般にメッキ鋼板は溶接に向かないため、同屋根構造では緊締受け躯体（同文献では、山形受金具１４）に固定の緊締止具（同文献では、吊子９）に、隣接する折板の端同士を折り込んで締付ける、いわゆる馳締めにより連結している。このように折板で構成された屋根構造は軽量且つコスト面で優れる。そのため、このような屋根構造は、要求される耐用年数が２０年以下の建屋、例えば、工場や倉庫等で多用されている。
【先行技術文献】
【特許文献】
【０００４】
【特許文献１】特開昭５７−１００８７６号公報
【特許文献２】特開昭５８−９４５５１号公報
【発明の概要】
【発明が解決しようとする課題】
【０００５】
特許文献２に記載の屋根構造が代表する折板屋根構造は、馳締めという簡単な構成ながらも水密性と強度に優れ、軽量構造という点でも優れている。しかし、爆弾低気圧や突風などにより、許容を超える負圧が作用すると馳締めによる折板の連結部が分解して屋根構造が破壊されてしまうという課題を有している。
【０００６】
そこで、本発明の目的、すなわち解決しようとする技術的課題は、溶接固着に向かない折板を用いながらも、負圧耐力を向上させた折板屋根構造及びその施工方法を提供することにある。
【課題を解決するための手段】
【０００７】
そこで、請求項１の発明を、メッキ鋼板で形成された長尺な屋根板たる折板が並んだ折板屋根構造において、隣接する２つの折板の連結部同士の連結であって、前記両連結部同士が直に接触する箇所において、局所的な溶接部が形成されている箇所を有してなることを特徴とする折板屋根構造としたことにより、上記課題を解決した。
【０００８】
また、請求項２の発明を、請求項１に記載の折板屋根構造において、長尺な折板を緊締止具で隣接する折板同士を連結する折板屋根構造、又は、長尺な折板を緊締止具で緊締受け躯体に固定する折板屋根構造であって、前記長尺方向を長手方向と称することとし、該長手方向に直交する方向を幅方向と称することとしたときに、前記折板には主板の幅方向の一端に長尺である第１連結部が設けられ、他の一端には長尺である第２連結部が設けられ、前記折板の第１連結部と、前記折板に隣接する折板の第２連結部が連結した配置であって、前記緊締止具は前記緊締受け躯体に固定されたフック基部と、前記第１連結部と前記第２連結部を折り込んで若しくは引っ掛けて保持するフック機能部を有し、前記第１連結部は、前記フック機能部を巻き込んで又は前記フック機能部に折り込まれて若しくは引っ掛かって保持されて、更に、前記第２連結部は、前記フック機能部を巻き込んで又は前記フック機能部に折り込まれて若しくは引っ掛かって保持されてなり、前記第１連結部と前記第２連結部が、前記フック機能部を挟持する構成にして、前記フック機能部を介さずに前記第１連結部と前記第２連結部が接する部分において、前記第１連結部と前記第２連結部の間に局所的な溶接部が形成されている箇所を有することを特徴とする折板屋根構造としたことにより、上記課題を解決した。
【０００９】
請求項３の発明を、請求項２に記載の折板屋根構造において、前記フック基部は前記緊締受け躯体に固定され、前記フック機能部は前記緊締受け躯体から上方に延びるフック首部と、該フック首部に延設されたフック中央部及びフック先端部を有し、前記第１連結部には外側から前記主板に向かってそれぞれ長尺である第１連結先端部と、第１連結中央部及び第１連結首部が設けられ、前記第２連結部には外側から前記主板に向かってそれぞれ長尺である第２連結先端部と、第２連結中央部及び第２連結首部が設けられてなり、前記フック中央部及び前記フック先端部が前記第１連結先端部と、前記第１連結中央部を折り込んで保持した状態で、前記第２連結先端部と前記第２連結中央部が、前記フック中央部及び前記フック先端部を巻き込んで保持する状態であって、前記第１連結首部と前記第２連結首部が、前記フック首部を挟持する構成にして、前記フック機能部を介さずに前記第１連結部と前記第２連結部が接する部分において、前記第１連結部と前記第２連結部の間に局所的な溶接部が形成されている箇所を有することを特徴とする折板屋根構造としたことにより、上記課題を解決した。
【００１０】
請求項４の発明を、請求項３に記載の折板屋根構造において、前記第１連結首部と前記第２連結首部の間に局所的な溶接部が形成されている箇所を有することを特徴とする折板屋根構造としたことにより、上記課題を解決した。請求項５の発明を、請求項３に記載の折板屋根構造において、前記第１連結中央部と前記第２連結中央部の間に局所的な溶接部が形成されている箇所を有することを特徴とする折板屋根構造としたことにより、上記課題を解決した。
【００１１】
請求項６の発明を、請求項２に記載の折板屋根構造において、前記フック機能部は前記緊締受け躯体から上方に延びるフック首部と、該フック首部から前記折板に向かって延設された第１フック中央部及び第１フック先端部と、前記フック首部から前記隣接折板に向かって延設された第２フック中央部及び第２フック先端部を有し、前記第１連結部には外側から前記主板に向かってそれぞれ長尺である第１連結先端部と、第１連結中央部及び第１連結首部が設けられ、前記第２連結部には外側から前記主板に向かってそれぞれ長尺である第２連結先端部と、第２連結中央部及び第２連結首部が設けられてなり、前記第１フック先端部と前記第１フック中央部はそれぞれ、前記第１連結先端部と前記第１連結中央部を折り込んで保持し、前記第２フック先端部と前記第２フック中央部はそれぞれ、前記第２連結先端部と前記第２連結中央部を折り込んで保持してなり、前記第１連結首部と前記第２連結首部が、前記フック首部を挟持する構成にして、前記フック機能部を介さずに前記第１連結部と前記第２連結部が接する部分において、前記第１連結部と前記第２連結の間に局所的な溶接部が形成されている箇所を有することを特徴とする折板屋根構造
としたことにより、上記課題を解決した。
【００１２】
請求項７の発明を、請求項６に記載の折板屋根構造において、前記第１連結首部と前記第２連結首部の間に局所的な溶接部が設けられた箇所を有することを特徴とする折板屋根構造としたことにより、上記課題を解決した。請求項８の発明を、請求項６に記載の折板屋根構造において、前記第１連結部と前記第２連結部が、前記フック機能部を介さずに接するか若しくは近接する部分において、前記第１連結中央部と前記第２連結中央部の間に当て板を渡した状態で、該当て板と前記第１連結中央部が接する部分の間に局所的な溶接部が形成されており、該当て板と前記第２連結中央部が接する部分の間に局所的な溶接部が形成されていることを特徴とする折板屋根構造としたことにより上記課題を解決した。
【００１３】
請求項９の発明を、請求項６に記載の折板屋根構造において、前記第１連結部と前記第２連結部及び前記フック機能部はキャップ材で覆われてなり、前記フック機能部を介さずに、前記第１連結部と前記第２連結部が接し、若しくは近接する所において、前記キャップ材と前記第１連結部の間に局所的な溶接部が形成されており、前記キャップ材と前記第２連結部の間に局所的な溶接部が形成されている箇所を有することを特徴とする折板屋根構造としたことにより、上記課題を解決した。
【００１４】
請求項１０の発明を、請求項２、請求項３、請求項４、請求項５、請求項６、請求項７、請求項８又は請求項９のいずれかに記載の折板屋根構造において、前記溶接部は、前記第１連結部若しくは前記第２連結部が前記緊締止具に接している部分から、前記折板の長手方向に２０ｍｍ以上離れていることを特徴とする折板屋根構造としたことにより、上記課題を解決した。請求項１１の発明を、メッキ鋼板で形成された長尺な屋根板たる折板が並んだ折板屋根構造において、隣接する２つの折板屋根板の連結部同士の溶接であって、前記両連結部同士が直に接触する箇所において局所的に溶接することを特徴とする折板屋根構造の施工方法としたことにより、上記課題を解決した。
【００１５】
請求項１２の発明を、請求項１１に記載の折板屋根構造の施工方法において、長尺な折板を、緊締止具で緊締受け躯体に固定する折板屋根構造の施工方法であって、前記長尺方向を長手方向と称することとし、該長手方向に直交する方向を幅方向と称することとしたときに、前記折板には主板の幅方向の一端に長尺である第１連結部を設けて、他の一端には長尺である第２連結部を設け、前記折板の第１連結部と、前記折板に隣接する折板の第２連結部が連結するように配置し、前記緊締止具を前記緊締受け躯体に固定されたフック基部と、前記第１連結部と前記第２連結部を折り込んで保持するフック機能部で構成し、前記第１連結部は、前記フック機能部を巻き込んで若しくは前記フック機能部に折り込まれて保持されるようにし、更に、前記第２連結部は、前記フック機能部を巻き込んで若しくは前記フック機能部に折り込まれて保持されるようにし、前記第１連結部と前記第２連結部に、前記フック機能部を挟持させたうえで、前記フック機能部を介さずに前記第１連結部と前記第２連結部が接する箇所若しくは近接する箇所において、前記第１連結部と前記第２連結部の間を局所的に溶接することを特徴とする折板屋根構造の施工方法としたことにより、上記課題を解決した。
【００１６】
請求項１３の発明を、請求項１２に記載の折板屋根構造の施工方法において、前記フック基部を前記緊締受け躯体に固定し、前記フック機能部は前記緊締受け躯体から上方に延びるフック首部と、該フック首部に延設されたフック中央部及びフック先端部を形成し、前記第１連結部には外側から前記主板に向かってそれぞれ長尺である第１連結先端部と、第１連結中央部及び第１連結首部を設け、前記第２連結部には外側から前記主板に向かってそれぞれ長尺である第２連結先端部と、第２連結中央部及び第２連結首部が設けたうえで、前記フック中央部及び前記フック先端部に前記第１連結先端部と、前記第１連結中央部を折り込んで保持させ、前記第２連結先端部と、前記第２連結中央部で前記フック中央部及び前記フック先端部を巻き込んで、前記第１連結首部と前記第２連結首部が、前記フック首部を挟持するように締め付けたうえで、前記フック機能部を介さずに前記第１連結首部と前記第２連結首部が接するか若しくは近接する箇所において、前記第１連結首部と前記第２連結首部の間を局所的に溶接することを特徴とする折板屋根構造の施工方法
としたことにより、上記課題を解決した。
【００１７】
請求項１４の発明を、請求項１２に記載の折板屋根構造の施工方法において、前記フック基部を前記緊締受け躯体に固定し、前記フック機能部は前記緊締受け躯体から上方に延びるフック首部と、該フック首部に延設されたフック中央部及びフック先端部を形成し、前記第１連結部には外側から前記主板に向かってそれぞれ長尺である第１連結先端部と、第１連結中央部及び第１連結首部を設け、前記第２連結部には外側から前記主板に向かってそれぞれ長尺である第２連結先端部と、第２連結中央部及び第２連結首部を設けたうえで、前記フック中央部及び前記フック先端部に前記第１連結先端部と、前記第１連結中央部を折り込んで保持させ、前記第２連結先端部と、前記第２連結中央部で前記フック中央部及び前記フック先端部を巻き込んで、前記第１連結首部と前記第２連結首部が、前記フック首部を挟持するように締め付けるに際して、前記第２連結先端部で前記フック先端部を巻き込む前に、前記フック機能部を介さずに前記第１連結中央部と前記第２連結中央部が接する箇所において、前記第１連結中央部と前記第２連結中央部の間を局所的に溶接することを特徴とする折板屋根構造の施工方法としたことにより、上記課題を解決した。
【００１８】
請求項１５の発明を、請求項１２に記載の折板屋根構造の施工方法において、前記フック機能部は前記緊締受け躯体から上方に延びるフック首部と、該フック首部から前記折板の側に延設された第１フック中央部及び第１フック先端部と、該フック首部から前記隣接折板の側に延設された第２フック中央部及び第２フック先端部を形成し、前記第１連結部には外側から前記主板に向かってそれぞれ長尺である第１連結先端部と、第１連結中央部及び第１連結首部を設け、前記第２連結部には外側から前記主板に向かってそれぞれ長尺である第２連結先端部と、第２連結中央部及び第２連結首部を設け、前記第１フック先端部と前記第１フック中央部に、それぞれ前記第１連結先端部と前記第１連結中央部を折り込んで保持させ、前記第２フック先端部と前記第２フック中央部に、それぞれ前記第２連結先端部と前記第２連結中央部を折り込んで保持させ、前記第１連結首部と前記第２連結首部が、前記フック首部を挟持するように締め込んだうえで、前記フック機能部を介さずに前記第１連結首部と前記第２連結首部が接する箇所において、前記第１連結部と前記第２連結部の間を局所的に溶接することを特徴とする折板屋根構造の施工方法としたことにより、上記課題を解決した。
【００１９】
請求項１６の発明を、請求項１２に記載の折板屋根構造の施工方法において、前記フック機能部には前記緊締受け躯体から上方に延びるフック首部と、該フック首部から前記第１の折板の側に延設された第１フック中央部及び第１フック先端部と、該フック首部から前記隣接折板の側に延設された第２フック中央部及び第２フック先端部を形成し、前記第１連結部には外側から前記主板に向かってそれぞれ長尺である第１連結先端部と、第１連結中央部及び第１連結首部を設け、前記第２連結部には外側から前記主板に向かってそれぞれ長尺である第２連結先端部と、第２連結中央部及び第２連結首部を設け、前記第１フック先端部と前記第１フック中央部には、それぞれ前記第１連結先端部と前記第１連結中央部を折り込んで保持させ、前記第２フック先端部と前記第２フック中央部には、それぞれ前記第２連結先端部と前記第２連結中央部を折り込んで保持し、前記第１連結首部と前記第２連結首部が、前記フック首部を挟持するように締め込んだうえで、前記フック機能部を介さずに前記第１連結部と前記第２連結部が接するか若しくは近接する所に、前記第１連結部と前記第２連結部の間に当て板を渡し、該当て板と前記第１連結中央部の間を局所的に溶接し、該当て板と前記第２連結中央部の間を局所的に溶接することを特徴とする折板屋根構造の施工方法としたことにより、上記課題を解決した。
【００２０】
請求項１７の発明を、請求項１２に記載の折板屋根構造の施工方法において、前記フック機能部には前記緊締受け躯体から上方に延びるフック首部と、該フック首部から前記第１の折板の側に延設された第１フック中央部及び第１フック先端部と、該フック首部から前記隣接折板の側に延設された第２フック中央部及び第２フック先端部を形成し、前記第１連結部には外側から前記主板に向かってそれぞれ長尺である第１連結先端部と、第１連結中央部及び第１連結首部を設け、前記第２連結部には外側から前記主板に向かってそれぞれ長尺である第２連結先端部と、第２連結中央部及び第２連結首部を設け、前記第１フック先端部と前記第１フック中央部には、それぞれ前記第１連結先端部と前記第１連結中央部を折り込んで保持させ、前記第２フック先端部と前記第２フック中央部には、それぞれ前記第２連結先端部と前記第２連結中央部を折り込んで保持し、前記第１連結首部と前記第２連結首部が、前記フック首部を挟持するように締め込んだうえで、前記第１連結部と前記第２連結部及び前記フック機能部をキャップ材で覆い、前記フック機能部を介さずに前記第１連結部と前記第２連結部が接するか若しくは近接する所において、前記キャップ材と前記第１連結部の間を局所的に溶接し、前記キャップ材と前記第２連結部の間を局所的に溶接することを特徴とする折板屋根構造の施工方法としたことにより、上記課題を解決した。
【００２１】
請求項１８の発明を、請求項１２、請求項１３、請求項１４、請求項１５、請求項１６又は請求項１７のいずれかに記載の折板屋根構造において、前記第１連結部若しくは前記第２連結部が前記緊締止具に接している部分から、前記折板の長手方向に２０ｍｍ以上離れている箇所に溶接することを特徴とする折板屋根構造の施工方法としたことにより、上記課題を解決した。
【発明の効果】
【００２２】
請求項１に係る発明は、少ない溶接箇所にもかかわらず、折板屋根構造の負圧耐力を格段に向上させることができる効果がある。請求項２に係る発明は、前記フック機能部を挟持する前記折板の第１連結部と、前記隣接折板の第２連結部同士の接している点がスポットで溶接固着されているため、溶接箇所が非常に少ないにもかかわらず、前記第１連結部と前記第２連結部の合わせ角が開くことを効果的に防止することができる。このことにより、前記緊締止具が、前記第１連結部と前記第２連結部の挟持から抜けることを防げるので、同折板屋根構造の負圧耐力を格段に向上させることができる効果がある。
【００２３】
請求項３に係る発明は、溶接箇所が極めて少ないにもかかわらず、格段に負圧耐力を向上させる効果がある。請求項４に係る発明は、前記折板と前記隣接折板の主板付近である、前記第１連結首部と前記第２連結首部同士を溶接するので、極めて少ない溶接箇所でありながら、効果的に負圧耐力を向上させる効果がある。
【００２４】
請求項５に係る発明は、前記第１連結中央部と前記第２連結中央部同士を溶接するので、折板屋根構造の上部を溶接することになる。したがって、前記折板屋根構造上に立って作業する作業員にとってはしゃがみこむなど無理な体勢をとらずに作業することができる効果がある。また、溶接箇所はメッキが剥げるが、この部分を防錆処置する作業もし易くなる効果がある。
【００２５】
請求項６に係る発明は、溶接箇所が極めて少ないにもかかわらず、格段に負圧耐力を向上させる効果がある。また、溶接した箇所はメッキが剥がれるが、ここをキャップ材で覆えば、直接風雨に曝されることが無いという効果がある。請求項７に係る発明は、前記折板と前記隣接折板の主板付近である、前記第１連結首部と前記第２連結首部同士を溶接するので、極めて少ない溶接箇所でありながら、効果的に負圧耐力を向上させる効果がある。また、溶接した箇所はメッキが剥がれるが、ここをキャップ材で覆えば、直接風雨に曝されることが無いという効果がある。
【００２６】
請求項８に係る発明は、前記第１連結中央部と前記第２連結中央部同士を溶接するので、折板屋根構造の上部を溶接することになる。したがって、前記折板屋根構造上に立って作業する作業員にとってはしゃがみこむなど無理な体勢をとらずに作業することができる効果がある。また、溶接した箇所はメッキが剥がれるが、ここをキャップ材で覆えば、直接風雨に曝されることが無いという効果がある。
【００２７】
請求項９に係る発明は、負圧耐力が向上するのに加えて、既設の折板屋根構造に対しても負圧耐力向上の施工をすることができるという効果がある。請求項１０に係る発明の構成にすることで、緊締止具２は前記折板と前記隣接折板の長手方向の動きを強固に規制するものではないものとすることができる。このため、これら折板の伸縮により内部に生じた応力を解放することができるという効果がある。このように応力を解放できるので、前記折板の板鳴低減効果と金属疲労防止効果がある。
【００２８】
請求項１１に係る発明は、少ない溶接箇所にもかかわらず、折板屋根構造の負圧耐力を格段に向上させることができる折板屋根構造を施工できる効果がある。請求項１２に係る発明は、前記フック機能部を挟持する前記折板の第１連結部と、前記隣接折板の第２連結部同士の接している点がスポットで溶接固着するため、溶接箇所が非常に少ないにもかかわらず、前記第１連結部と前記第２連結部の合わせ角が開くことを効果的に防止することができる。このことにより、前記緊締止具が、前記第１連結部と前記第２連結部の挟持から抜けることを防げるので、同折板屋根構造の負圧耐力を格段に向上させる折板屋根構造を施工できる効果がある。
【００２９】
請求項１３と請求項１４に係る発明は、溶接箇所が極めて少ないにもかかわらず、格段に負圧耐力を向上させた折板屋根構造を施工することができる効果がある。請求項１５に係る発明は、溶接箇所が極めて少ないにもかかわらず、格段に負圧耐力を向上させた折板屋根構造を施工することができる効果がある。更に、溶接個所をキャップ材で覆うと、溶接によりメッキが剥がれたとしても直接風雨に曝されることが無いという効果がある。
【００３０】
請求項１６に係る発明は、溶接箇所が極めて少ないにもかかわらず、格段に負圧耐力を向上させた折板屋根構造を施工することができる効果がある。また溶接個所が上向きなので、作業及び確認がしやすいという効果がある。更に、溶接個所をキャップ材で覆うと、溶接によりメッキが剥がれたとしても直接風雨に曝されることが無いという効果がある。
【００３１】
請求項１７に係る発明は、負圧耐力が向上するのに加えて、既設の折板屋根構造に対しても負圧耐力向上の施工をすることができるという効果がある。請求項１８に係る発明は、折板の伸縮により内部に生じた応力を解放することができるという折板屋根構造を施工することができる効果がある。このように応力を解放できるので、前記折板の板鳴低減効果と金属疲労防止効果がある。
【図面の簡単な説明】
【００３２】
【図１】は本発明の折板屋根構造の第１実施形態に係る図であって、（Ａ）は折板屋根構造の斜視図、（Ｂ）は同折板屋根構造において、緊締止具が無い部分の断面図である。
【図２】は本発明の折板屋根構造の第２実施形態に係る図であって、（Ａ）は折板屋根構造の斜視図、（Ｂ）は同折板屋根構造の施工に際して溶接部を形成する工程の図、（Ｃ）は同折板屋根構造において、緊締止具が無い部分の断面図である。
【図３】は本発明の折板屋根構造の第３実施形態に係る折板屋根構造であって、（Ａ）は緊締受け躯体を含む断面図、（Ｂ）は緊締受け躯体を含まない断面図、（Ｃ）は緊締受け躯体を含む部分の拡大図、（Ｄ）は緊締止具の拡大図、（Ｅ）は緊締受け躯体を含まない部分の拡大図、（Ｆ）は同折板屋根構造の斜視図である。
【図４】は本発明の折板屋根構造の第４実施形態に係る図であって、（Ａ）は同折板屋根構造の斜視図、（Ｂ）は同折板屋根構造の、緊締受け躯体を含まない部分の断面図である。
【図５】は本発明の折板屋根構造の第５実施形態に係る図であって、（Ａ）は同折板屋根構造の斜視図、（Ｂ）は同折板屋根構造の、緊締受け躯体を含まない部分の断面図である。
【図６】は従来の折板屋根構造の例を示す図であって、（Ａ）は折板を形成するためのメッキ鋼板の平面図、（Ｂ）は同折板屋根構造の緊締受け躯体を含む部分の断面図、（Ｃ）は同折板屋根構造に用いられる緊締止具の例を示す図、（Ｄ）は同折板屋根構造の緊締止具と緊締受け躯体を含む断面の拡大図である。
【図７】は従来の折板屋根構造の例を示す図であって、（Ａ）は緊締受け躯体を含まない部分の断面図、（Ｂ）は同断面図の拡大図、（Ｃ）は緊締受け躯体を含まない断面図において、負圧によって同折板屋根構造が破壊される例を示す図、（Ｄ）と（Ｅ）及び（Ｆ）は緊締受け躯体を含む断面図において、負圧によって同折板屋根構造が破壊される順序例を示す図である。
【発明を実施するための形態】
【００３３】
図６を参照して、従来の典型的な馳締め折板の構成を確認する。図６（Ａ）は折板に加工されるべき、長尺のメッキ鋼板である。説明の便宜上、このメッキ鋼板から形成される折板の１つを折板３とし、これに隣接して設置される折板を隣接折板４と呼ぶこととする。原則的には、折板３と隣接折板４は同一形状をした折板である。また、説明の便宜上、前記長尺方向を長手方向と称することとし、該長手方向に直交する方向を幅方向と称することとする。
【００３４】
折板３及び隣接折板４の中央部は帯状の主板３２であって、折板屋根本体を形成する部分である。そして、折板３及び隣接折板４の一端には長尺である第１連結部３１が設けられている。該第１連結部３１は、長尺である第１連結先端部３１１と、第１連結中央部３１２及び第１連結首部３１３から成る。前記折板３及び隣接折板４の他の一端には長尺である第２連結部４１が設けられている。該第２連結部４１は、長尺である第２連結先端部４１１と、第２連結中央部４１２及び第２連結首部４１３から成る。この構成は、従来の折板と同等な構成なので、図６（Ａ）を参照することができる。
【００３５】
折板屋根構造を形成するに当たっては、折板３と隣接折板４が隣接するように配置され、折板３の第１連結部３１は隣接折板４の第２連結部４１と隣接する状態で連結形成される。また、これら折板の長手方向に、所定の距離毎に、緊締止具２のフック機能部２３が巻き込まれることにより緊締受け躯体１に固定される。
【００３６】
図６（Ｂ）は、前記合金鋼板を折板に加工して屋根構造を形成した図であって、Ｙ１−Ｙ１の方向に見た図である。折板３と隣接折板４は緊締止具２で緊締受け躯体１に固定される。緊締受け躯体１は、建屋本体に設けられた梁（図示せず）に固定されている。以上、説明したように、折板屋根構造は折板３と隣接折板４が第１連結部３１と第２連結部４１で、いわゆる馳締め連結されている。更に、これら折板３と隣接折板４は、緊締受け躯体に固定されている緊締止具２を所定距離毎に巻き込むことにより、前記建屋本体に固定されている。
【００３７】
図６（Ｃ）は一般的な緊締止具２の例である。緊締止具２は、ボルト等で緊締受け躯体１に固定されるフック基部２２とフック機能部２３を有する。該フック機能部２３は、垂直上方に伸びたフック首部２３３と、その先に延設された、巻き込み形状のフック中央部２３２及びフック先端部２３１を有している。
【００３８】
図６（Ｄ）は緊締止具２によって、折板３と隣接折板４が緊締受け躯体１に固定されている例である。フック基部２２はボルト等で緊締受け躯体１に固定されている。フック機能部２３は緊締受け躯体１から上方に延びるフック首部２３３と、該フック首部２３３に延設されたフック中央部２３２及びフック先端部２３１を有している。一方、図６（Ａ）に示すように、折板の中央には帯状の主板３２が設けられ、その両側には、長尺である第１連結部３１と、長尺である第２連結部４１が設けられている。更に、第１連結部３１には外側から主板３２に向かってそれぞれ長尺である第１連結先端部３１１と、第１連結中央部３１２及び第１連結首部３１３が設けられ、第２連結部４１には外側から主板３２に向かってそれぞれ長尺である第２連結先端部４１１と、第２連結中央部４１２及び第２連結首部４１３が設けられている。
【００３９】
そして、折板３の第１連結部３１と隣接折板４の第２連結部４１が連結可能なように配置されている。そして、フック中央部２３２とフック先端部２３１が前記第１連結先端部３１１と、前記第１連結中央部３１２を折り込んで保持した状態で、前記第２連結先端部４１１と前記第２連結中央部４１２が、フック中央部２３２とフック先端部２３１を巻き込むように締め付けられている。この締め付けによって、長尺である前記第１連結首部３１３と長尺である前記第２連結首部４１３が、フック首部２３３を挟持する構成となっている。以上の構成にして、２以上の折板が連結され、且つ緊締受け躯体１に固定されている。
【００４０】
図７（Ａ）と（Ｂ）には、緊締受け躯体以外の場所の折板屋根構造の断面図を示す。折板屋根構造のほとんどの領域はこのように、緊締受け躯体１と緊締止具２が存在しない断面である。すなわち、隣接する折板の第１連結部３１を第２連結部４１が巻き込むことで、両折板を連結している。以上が一般的な折板屋根構造である。
【００４１】
この折板屋根構造は軽量にもかかわらず、優れた強度を有している。しかし、この折板屋根構造に対して、上方から許容を超える負圧が作用すると、第２連結部４１による第１連結部３１の巻き込み構造が崩れて、折板屋根構造が分解されてしまう。我々の研究によれば、この巻き込み構造の崩れは第１連結首部３１３と第２連結首部４１３が、許容を超える負圧の作用で離れてしまうことをきっかけとして分解が進むことが分かっている。図７（Ｃ）は緊締受け躯体１及び緊締止具２が存在しない領域での折板屋根構造の分解を示し、図７（Ｄ），（Ｅ），（Ｆ）では緊締受け躯体１と緊締止具２が存在する領域での折板屋根構造の分解を示すものである。
【００４２】
［第１実施形態の構成］
そこで、本発明の折板屋根構造に係る第１実施形態は、図１に示すように、締め付けられた折板屋根構造において、緊締受け躯体１と緊締止具２が存在しない領域であって、フック機能部２３を介さずに第１連結首部３１３と第２連結首部４１３が接し得る領域において、スポット溶接による溶接部を設ける構成である。図１（Ａ）と（Ｂ）に示す例では、折板３の第１連結首部３１３と、隣接折板４の第２連結首部４１３同士の一部をスポット溶接で固着するものである。溶接された構造は溶接部５Ａとして示されている。
【００４３】
ここで緊締止具２の作用をより具体的に説明すると次のようになる。フック基部２２は緊締受け躯体１に固定され、フック機能部２３は緊締受け躯体１から上方に延びるフック首部２３３と、フック首部２３３に延設されたフック中央部２３２及びフック先端部２３１を有している。折板３と隣接折板４の第１連結部３１には外側から主板３２に向かってそれぞれ長尺である第１連結先端部３１１と、第１連結中央部３１２及び第１連結首部３１３が設けられ、第２連結部４１には外側から主板３２に向かってそれぞれ長尺である第２連結先端部４１１と第２連結中央部４１２及び第２連結首部４１３が設けられている。
【００４４】
また、フック中央部２３２及びフック先端部２３１が折板３の第１連結先端部３１１と、第１連結中央部３１２を折り込んで保持した状態である。更に、隣接折板４の第２連結先端部４１１と第２連結中央部４１２が、フック中央部２３２及びフック先端部２３１を巻き込んで保持する状態である。そして、折板３の第１連結首部３１３と隣接折板４の第２連結首部４１３がフック首部２３３を両側から挟持する構成となっている。この例では、フック機能部２３は深く巻き込む形状であるが、より浅く巻き込む形状をしていても良い。この場合、折板３の第１連結部３１と隣接折板４の第２連結部４１は、フック機能部に引っ掛かっている状態となる。
【００４５】
折板屋根構造の分解は、折板３の第１連結首部３１３と、隣接折板４の第２連結首部４１３の間が開いてしまうことがきっかけとなるので、この部分を溶接部５Ａで固着することは、効率的に折板同士の開きを防ぐことができる。したがって、溶接箇所を最小限に抑えながら、折板屋根構造の負圧耐力を最大限に向上させる効果がある。また、板材に貫通孔を設けてボルト等で締め付けるものではないため、水密性が確保されるという効果もある。また、同折板屋根構造は、既設の屋根に対して溶接部５Ａを追加することで負圧耐力を強化できる効果がある。
【００４６】
［第２実施形態の構成］
本発明の折板屋根構造に係る第２実施形態は、図２（Ａ）と（Ｂ）に示すように、締め付けられた折板屋根構造において、フック機能部２３を介さずに第１連結中央部３１２と第２連結中央部４１２が接し得る領域において、スポット溶接による溶接部５Ｂを設ける構成である。溶接部５Ｂを形成するには、図２（Ｂ）に示すように、第２連結部を巻き込む前に第１連結中央部３１２と第２連結中央部４１２同士を溶接する。溶接の後に締め付けをして、第２実施形態に係る折板屋根構造を形成することができる。
【００４７】
第２実施形態に係る折板屋根構造も負圧耐力が向上している。この効果に加えて、溶接部５Ｂが形成される位置が馳締め箇所上部であり、同折板屋根構造上に立つ施工者がしゃがみ込むことなく視認できるため施工し易いという効果がある。また、溶接したことによりメッキが剥げた箇所に防錆処理をすることも容易となる効果がある。更に、第１連結中央部３１２の溶接個所は馳締めにより内部に巻き込まれて、直接の風雨にさらされることが無いという効果もある。
【００４８】
［第３実施形態の構成］
図３を参照して、本発明の折板屋根構造の第３実施形態を説明する。図３（Ａ）と（Ｃ）は緊締受け躯体１Ｃの位置における、同折板屋根構造の断面図であり、図（Ｂ）と（Ｅ）は緊締受け躯体１Ｃの存在しない断面図である。また、従来の折板構造と共通する部分については図６（Ａ）も適宜参照する。同折板屋根構造は、メッキ鋼板を材料とする２以上の長尺な折板を、緊締止具２Ｃで緊締受け躯体１Ｃに固定する折板屋根構造である。前記折板は中央に帯状の主板３２Ｃ（図６（Ａ）では３２と表記）を有して、その両側の中の一端には長尺である第１連結部３１Ｃ（図６（Ａ）では３１と表記）が設けられ、他の一端には長尺である第２連結部４１Ｃ（図６（Ａ）では４１と表記）が設けられている。緊締止具２Ｃは緊締受け躯体１Ｃに固定されたフック基部２２Ｃと、折板を折り込んで保持するフック機能部２３Ｃを有している。折板３Ｃの第１連結部３１Ｃと、隣接折板４Ｃの第２連結部４１Ｃとが互いに近接するように配置されている。
【００４９】
折板３Ｃの第１連結部３１Ｃと隣接折板４Ｃの第２連結部４１Ｃは共にフック機能部２３Ｃに折り込まれて保持されることにより、折板３Ｃと隣接折板４Ｃを連結する（図３（Ａ）、（Ｃ））。また、これらの連結された第１連結部３１Ｃと第２連結部４１Ｃがフック機能部２３Ｃの中のフック首部２３３Ｃを挟持するので、折板３Ｃと隣接折板４Ｃは緊締止具２Ｃを介して固定される。そして、長尺であるキャップ材６が折板３Ｃと隣接折板４Ｃの第１連結部及び緊締止具２Ｃを覆う構成である。キャップ材６は折板３及び隣接折板４と同じ長さであってもよいが、これらよりも短いキャップ材として構成されて、複数のキャップ材で、前記折板３Ｃと隣接折板４Ｃの第１連結部及び緊締止具２Ｃを覆う構成でもよい。
【００５０】
緊締止具２Ｃは緊締受け躯体１Ｃに固定されたフック基部２２Ｃとフック機能部２３Ｃで構成される（図３（Ｄ））。フック機能部２３Ｃは垂直に伸びたフック首部２３３Ｃと、これに直交固定されている第１フック中央部２３２Ｃａ，第２フック中央部２３２Ｃｂ及び、第１フック先端部２３１Ｃａと第２フック先端部２３１Ｃｂで構成される。
【００５１】
折板３Ｃの第１連結部３１Ｃには端から主板３２Ｃに向かって順に、長尺である第１連結先端部３１１Ｃと、長尺である第１連結中央部３１２Ｃ及び長尺である第１連結首部３１３Ｃが設けられている。そして、折板３Ｃの他の一端である第２連結部４１Ｃには端から主板３２Ｃに向かって順に、長尺である第２第２連結先端部４１１Ｃと、長尺である第２連結中央部４１２Ｃ及び長尺である第２連結首部４１３Ｃが設けられている。隣接折板４Ｃも折板３Ｃと同一の構造である。
【００５２】
折板３Ｃの第１連結先端部３１１Ｃと第１連結中央部３１２Ｃは折り込まれて第１フック中央部２３２Ｃａと第１フック先端部２３１Ｃａによって保持されている。同様に、隣接折板４Ｃの第２連結先端部４１１Ｃと第２連結中央部４１２Ｃは折り込まれて第２フック中央部２３２Ｃｂと第２フック先端部２３１Ｃｂによって保持されている。このように、フック機能部２３Ｃによって折板３Ｃと隣接折板４Ｃは保持連結されている。同時に、折板３Ｃの第１連結首部３１３Ｃと隣接折板４Ｃの第２連結首部４１３Ｃがフック首部２３３Ｃを挟持している。以上は、緊締受け躯体１Ｃが存在する部分における、同折板屋根構造である。この例では、フック機能部２３Ｃは深く巻き込む形状であるが、より浅く巻き込む形状をしていても良い。この場合、折板３の第１連結部３１と隣接折板４の第２連結部４１は、フック機能部に引っ掛かっている状態となる。
【００５３】
同折板屋根構造において、緊締受け躯体１Ｃは前記折板の長手方向に所定の間隔で設けられているものである。したがって、同折板屋根構造の多くの領域は緊締受け躯体１Ｃ及び緊締止具２Ｃが存在しない構造である。これは図３（Ｂ）と（Ｅ）に示されている構造である。折り込められた第１連結先端部３１１Ｃと第１連結中央部３１２Ｃを有する折板３Ｃと、折り込められた第２第２連結先端部４１１Ｃと第２連結中央部４１２Ｃを有する隣接折板４Ｃとが、第１連結首部３１３Ｃと第２連結首部４１３Ｃで接しており、これらは長尺であるキャップ材６で覆われている。そして、フック機能部２３Ｃを介さずに、第１連結首部３１３Ｃと第２連結首部４１３Ｃ同士が接した所において、局所的な溶接、例えばスポット溶接により連結された構造、すなわち溶接部５Ｃが設けられている。これらの溶接部５Ｃを形成してからキャップ材６でこれらの覆う施工をするものである。
【００５４】
負圧による折板屋根構造の分解は、折板３Ｃの第１連結首部３１３Ｃと、これに隣接する隣接折板４Ｃの第２連結首部４１３Ｃの間が開いてしまうことがきっかけとなるので、この部分を溶接５Ｃで固着することは、効率的に折板同士の開きを防ぐことができる。したがって、溶接箇所を最小限に抑えながら、折板屋根構造の負圧耐力を最大限に向上させる効果がある。また、板材に貫通孔を設けてボルト等で締め付けるものではないため、水密性が確保されるという効果もある。更に、これらの溶接箇所を長尺キャップ材６で覆うので、溶接加工に伴ってメッキが剥がれた部分が直接風雨に曝されることがないという効果がある。
【００５５】
［第４実施形態の構成］
次に本発明の折板屋根構造の第４実施形態を説明する。同折板屋根構造は、第３実施形態の折板屋根構造におけるキャップ材６と、緊締受け躯体１Ｃと、緊締止具２Ｃと、折板３Ｃ及び隣接折板４Ｃは同一の部材である。そして、緊締受け躯体１Ｃが存在する箇所の、同折板屋根構造は第３実施形態の構造と同一である。
【００５６】
図４に同折板屋根構造を示す。図４（Ａ）は、キャップ材６を透明化して表した、同折板屋根構造の斜視図である。緊締止具２Ｃのある所が緊締受け躯体１Ｃを含む構造をしている箇所である。この場所の折板屋根構造は上述のように第３実施形態の折板屋根構造と同一である。一方、図４（Ｂ）は緊締受け躯体１Ｃが存在しない所における、第４実施形態に係る折板屋根構造の断面図である。図４（Ｂ）に示すように、折り込められた第１連結先端部３１１Ｃと第１連結中央部３１２Ｃを有する折板３Ｃと、折り込められた第２第２連結先端部４１１Ｃと第２連結中央部４１２Ｃを有する隣接折板４Ｃとが、フック機能部２３Ｃを介さずに第１連結首部３１３Ｃと第２連結首部４１３Ｃで接するか又は近接しており、これらは長尺であるキャップ材６で覆われている。
【００５７】
そして、第１連結中央部３１２Ｃと第２連結中央部４１２Ｃに当て板５１が渡されて、該当て板５１と第１連結中央部３１２Ｃ間に局所的な溶接部５Ｄが設けられて固着されている。更に、該当て板５１と第２連結中央部４１２Ｃ間に局所的な溶接部５Ｄが設けられて固着されている。すなわち、当て板５１と溶接部５Ｄによって、折板３Ｃと隣接折板４Ｃが連結されることとなる。
【００５８】
第４実施形態に係る折板屋根構造は、緊締止具２Ｃ以外の箇所で、当て板５１と溶接部５Ｄを介して折板３Ｃと隣接折板４Ｃが強固に連結されており、溶接箇所が少なくても、負圧耐力に優れた折板屋根構造を提供できる効果がある。また、板材に貫通孔を設けてボルト等で締め付けるものではないため、水密性が確保されるという効果がある。更に、これらの溶接箇所を長尺キャップ材６で覆うので、溶接加工に伴ってメッキが剥がれた部分が直接風雨に曝されることがないという効果がある。また、長尺キャップ材６を装着前の施工時においては、溶接箇所が上向きになっていて、作業者にとって視認性が良く、作業しやすいという効果がある。
【００５９】
［第５実施形態の構成］
次に本発明の折板屋根構造の第５実施形態を説明する。同折板屋根構造は、第４実施形態の折板屋根構造における緊締受け躯体１Ｃと、緊締止具２Ｃと、折板３Ｃ及び隣接折板４Ｃと同一の構成である。そして、緊締受け躯体１Ｃが存在する箇所の、同折板屋根構造は第３実施形態の構造と同一である。同折板屋根構造においては、第１連結部３１Ｃと第２連結部４１Ｃ及びフック機能部２３Ｃがキャップ材６Ｄで覆われている。そして、フック機能部２３Ｃを介さずに、第１連結部３１Ｃと第２連結部４１Ｃが接し、若しくは近接するところにおいて、キャップ材６Ｄと第１連結部３１Ｃの間に局所的な溶接部が形成されており、キャップ材６Ｄと第２連結部４１Ｃの間に局所的な溶接部５Ｅが形成されている箇所がある。同折板屋根構造は、少ない溶接箇所にもかかわらず、負圧耐力が向上することができる。更に、キャップ材で覆った後に局所的な溶接をするので、既設の折板屋根構造に対しても適用することができるという効果がある。
【００６０】
［第６実施形態の構成］
次に、本発明の折板屋根構造の第６実施形態を説明する。ところで、本発明の折板屋根構造の緊締止具２は、折板３と隣接折板４の移動を規制するものである。これら折板の長手方向以外の方向への移動は強く規制されている。しかし、長手方向については、フック機能部２３と第１連結部３１間の摩擦力と、該フック機能部２３と第２連結部４１間の摩擦力で、動きが規制されているに過ぎない。緊締止具２のある場所を避けるようにして設けられた溶接部５があってもこの事情に変わりはない。
【００６１】
ところで、折板温度の変化により、同折板は長手方向に若干の伸縮をする。１００メートル以上に亘る長尺な折板では、この伸縮量が２０ｍｍに及ぶことがある。そこで、本発明の第６実施形態に係る折板屋の構造では、溶接部５を第１連結部３１が緊締止具２に接している部分から、折板３の長手方向に２０ｍｍ以上離れている所に形成されていることとする。尚、前記折板３及び隣接折板４の長さに応じて伸縮量に差異がある。そこで、前記折板３の長さが短い場合には、前記２０ｍｍよりも隔離距離が小さくてもよい。
【００６２】
このような構成にすることで、緊締止具２は折板３と隣接折板４の長手方向の動きを強固に規制するものではないものとすることができる。このため、これら折板の伸縮により内部に生じた応力を解放することができるという効果がある。このように応力を解放できるので、前記折板の板鳴低減効果と金属疲労防止効果がある。
【００６３】
［第１実施形態と第２実施形態の施工方法］
本発明の折板屋根構造に係る第１実施形態と第２実施形態の施工方法を説明する。同施工方法は、メッキ鋼板を材料とする長尺な折板３及び隣接折板４と、緊締受け躯体１及び緊締止具２を有する折板屋根構造の施工方法である。緊締止具２は緊締受け躯体１に固定されたフック基部２２とフック機能部２３を形成する。一方、折板３と隣接折板４として、その中央部に帯状の主板３２を有して、その両側の中の一端には長尺である第１連結部３１が設けられ、他の一端には長尺である第２連結部４１が設けられている折板を用いる。第１連結部３１には外側から主板３２に向かってそれぞれ長尺である第１連結先端部３１１と、第１連結中央部３１２及び第１連結首部３１３が設けられ、第２連結部４１には外側から主板３２に向かってそれぞれ長尺である第２連結先端部４１１と、第２連結中央部４１２及び第２連結首部４１３が設けられている。
【００６４】
折板３の第１連結部３１と、隣接折板４の第２連結部４１とが互いに重なるように若しくは近接するように、折板３と隣接折板４を配置する。そして、第１連結部３１でフック機能部２３を巻き込んで、若しくはフック機能部２３に第１連結部３１を折り込んで保持する。更に、第２連結部４１でフック機能部２３を巻き込んで、若しくはフック機能部２３に第２連結部４１を折り込んで保持する。以上の工程により、長尺である第１連結部３１と長尺である第２連結部４１が、フック機能部２３を挟持するように折板３と隣接折板４が緊締止具２を介して連結される。
【００６５】
そして、フック機能部２３を介さずに第１連結部３１と第２連結部４１が接する箇所において、該第１連結部３１と該第２連結部４１同士を局所的に溶接する。この時、第１実施形態に係る折板屋根構造を施工する場合には第１連結首部３１３と第２連結首部４１３同士を溶接固着し、第２実施形態に係る折板屋根構造を施工する場合には第１連結中央部３１２と第２連結中央部４１２同士を溶接固着する。但し、第１連結中央部３１２と第２連結中央部４１２同士を溶接固着する場合には、隣接折板４の第２連結部４１で第１連結部３１を巻き込む前に溶接を行う必要がある（図２（Ｂ）参照）。
【００６６】
［第３実施形態と第４実施形態の施工方法］
次に、本発明の折板屋根構造の第３実施形態と第４実施形態の施工方法を説明する。同施工方法は、メッキ鋼板を材料とする長尺な折板３Ｃ及び隣接折板４Ｃと、緊締受け躯体１Ｃ及び緊締止具２Ｃと長尺なキャップ材６を有する折板屋根構造の施工方法である。緊締止具２Ｃには緊締受け躯体１Ｃに固定されたフック基部２２Ｃとフック機能部２３Ｃを形成する。一方、折板３Ｃと隣接折板４Ｃとして、その中央部に帯状の主板３２を有して、その両側の中の一端には長尺である第１連結部３１が設けられ、他の一端には長尺である第２連結部４１が設けられている折板を用いる。第１連結部３１には外側から主板３２Ｃに向かってそれぞれ長尺である第１連結先端部３１１Ｃと、第１連結中央部３１２Ｃ及び第１連結首部３１３Ｃが設けられ、第２連結部４１Ｃには外側から主板３２Ｃに向かってそれぞれ長尺である第２第２連結先端部４１１Ｃと、第２連結中央部４１２Ｃ及び第２連結首部４１３Ｃが設けられている。
【００６７】
折板３の第１連結部３１と、隣接折板４の第２連結部４１とが互いに重なるように若しくは近接するように、折板３と隣接折板４を配置する。そして、フック機能部２３Ｃは緊締受け躯体１Ｃから上方に延びるフック首部２３３Ｃと、該フック首部２３３Ｃから折板３Ｃの側に延設された第１フック中央部２３２Ｃａ及び第１フック先端部２３１Ｃａと、該フック首部２３３Ｃから隣接折板４Ｃの側に延設された第２フック中央部２３２Ｃｂ及び第２フック先端部２３１Ｃｂを形成する。
【００６８】
そして、第１フック先端部２３１Ｃａと第１フック中央部２３２Ｃａに、折板３Ｃの第１連結先端部３１１Ｃと第１連結中央部３１２Ｃを折り込んで保持させる。次いで、第２フック先端部２３１Ｃｂと第２フック中央部２３２Ｃｂにそれぞれ、隣接折板４Ｃの第２第２連結先端部４１１Ｃと第２連結中央部４１２Ｃを折り込んで保持させる。この工程により、長尺である第１連結首部３１３Ｃと長尺である第２連結首部４１３Ｃが、フック首部２３３Ｃを挟持するように締め込まれることとなる。
【００６９】
ここで、第３実施形態に係る折板屋根構造を施工する場合には、フック機能部２３Ｃを介さずに折板３Ｃの第１連結首部３１３Ｃと隣接折板４Ｃの第２連結首部４１３Ｃが接する箇所において、溶接固着して溶接部５Ｃを形成してから、キャップ材６で溶接部５Ｃと、第１連結部３１及び第２連結部４１を覆う。また、第４実施形態に係る折板屋根構造を施工する場合には、フック機能部２３Ｃを介さずに折板３Ｃの第１連結中央部３１２Ｃと隣接折板４Ｃの第２連結中央部４１２Ｃが接するか若しくは近接する所において、第１連結中央部３１２Ｃと第２連結中央部４１２Ｃとの間に当て板５１を渡し、当て板５１と第１連結中央部３１２Ｃが接する部分同士に間に溶接部５Ｄを形成し、当て板５１と第２連結中央部４１２Ｃが接する部分同士を溶接固着する。その後、キャップ材６で溶接部５Ｄと、当て板５１と、第１連結部３１及び第２連結部４１を覆う。以上が、第３及び第４実施形態に係る折板屋根構造の施工方法である。
【００７０】
［第５実施形態の施工方法］
次に、本発明の折板屋根構造の第５実施形態の施工方法を説明する。既に説明した施工方法により、折板３Ｃの第１連結部３１Ｃと隣接折板４Ｃの第２連結部４１Ｃがフック首部２３３Ｃを挟持するようにする。そのうえで、フック機能部２３Ｃと第１連結部３１Ｃ及び第２連結部４１Ｃをキャップ材６Ｄで覆う。そして、フック機能部２３Ｃを介さずに、第１連結部３１Ｃと第２連結部４１Ｃが接し、若しくは近接するところにおいて、キャップ材６Ｄと第１連結部３１Ｃの間を局所的に溶接し、キャップ材６Ｄと第２連結部４１Ｃの間を局所的に溶接する施工方法である。
【００７１】
［第６実施形態の施工方法］
次に、本発明の折板屋根構造の第６実施形態の施工方法を説明する。既に説明した施工方法により、折板３の第１連結部３１と隣接折板４の第２連結部４１がフック首部２３３を挟持するようにする。そして、緊締止具２から２０ｍｍ以上離れた箇所に溶接をして、折板３と隣接折板４の連結を強化する。このように形成された折板屋根構造は、折板３の長手方向への、該折板３の移動を強固に規制するものではない。このため、熱伸縮によって折板３の内部に応力が生じた場合でも、該折板３が長手方向適宜移動することによって内部に生じた応力を解放することができる。この作用により折板の板鳴低減効果と金属疲労防止効果がある。
【００７２】
次に、好ましい折板材質について説明する。一般に、メッキ鋼板は電気溶接に向かないといわれている。しかし、アルミニウム重量比５５％の合金（例えば、ガルバリウム鋼板（登録商標）等）による、合金メッキ鋼板であれば、その他のメッキ鋼板よりも溶接性が良いとされている。したがって、本発明の折板屋根構造に用いる折板は、例えば、アルミニウム重量比５５％の合金メッキ鋼板など、溶接性に優れたメッキ鋼板を用いることが好ましい。また、折板３の厚さは０．３〜２．０ｍｍ前後である。
【００７３】
溶接性に優れたメッキ鋼板を用いても、合金メッキ鋼板の溶接加工は、メッキ成分が溶接電極を汚す等の問題があり、可能な限り溶接箇所を限定したいものである。そこで、本発明の折板屋根構造は、極めて溶接箇所を減じたにもかかわらず、効果的に負圧耐力を向上させる折板屋根構造を提供するものである。
【００７４】
以上説明した、本発明の折板屋根構造の実施形態ではスポット溶接を例として説明したが、各スポット溶接をつなげることにより、シーム溶接化したとしても本発明思想の範囲内である。また、本発明の折板屋根構造は、主に折板屋根に用いられる構造であるが、ルーフデッキなどの床材として用いたり、或いは、垂直に立てて壁材として用いたりしても、本発明思想の範囲内である。
【符号の説明】
【００７５】
１，１Ｃ…緊締受け躯体、２，２Ｃ…緊締止具、２２，２２Ｃ…フック基部、
２３…フック機能部、２３１…フック先端部、２３１Ｃａ…第１フック先端部、
２３１Ｃｂ…第２フック先端部、２３２…フック中央部、
２３２Ｃａ…第１フック中央部、２３２Ｃｂ…第２フック中央部、
２３３，２３３Ｃ…フック首部、３，３Ｃ…折板、
３１，３１Ｃ…第１連結部、３１１，３１１Ｃ…第１連結先端部、
３１２，３１２Ｃ…第１連結中央部、３１３，３１３Ｃ…第１連結首部、
３２，３２Ｃ…主板、４，４Ｃ…隣接折板、４１、４１Ｃ…第２連結部、
４１１，４１１Ｃ…第２連結先端部、４１２，４１２Ｃ…第２連結中央部、
４１３，４１３Ｃ…第２連結首部、５，５Ａ  ，５Ｂ，５Ｃ，５Ｄ，５Ｅ…溶接部、
５１…当て板、６，６Ｄ…キャップ材。 
【図１】
2017206889.tif 000003
【図２】
2017206889.tif 000004
【図３】
2017206889.tif 000005
【図４】
2017206889.tif 000006
【図５】
2017206889.tif 000007
【図６】
2017206889.tif 000008
【図７】
2017206889.tif 000009